(57)【要約】【課題】ネットワークを介して提供される様々なサービスに対して、ユーザの取り扱いが便利となるように対処した映像表示制御装置及び映像表示制御方法を提供することを主たる目的とする。【解決手段】ＥＰＧ４０の表示中に検索ウィンドウ５０の表示要求があった場合、検索ウィンドウ５０がＥＰＧ４０上に表示される。検索キーワードが検索ウィンドウ５０に入力されて決定された場合は検索処理が実行される。ブラウザ１６は、サーバ３１から検索サービスの結果に関する情報（データ）を受信する。そして、ディスプレイ１８には、ＥＰＧ４０とブラウザ画面６０とが同時に表示される。【選択図】  図５
2011160150.tif 000002
【特許請求の範囲】
【請求項１】
番組情報を受信する第１の受信モジュールと、
前記番組情報に基づいて電子番組表を作成する電子番組表作成モジュールと、
前記電子番組表に含まれる番組を選択する選択モジュールと、
ネットワークを介してサーバからの情報を受信する第２の受信モジュールと、
一つの画面を少なくとも第１の画面領域及び第２の画面領域に分割する画面分割モジュールと、
前記電子番組表を前記第１の画面領域に表示するとともに、前記サーバから受信する情報であって、かつ前記選択モジュールにて選択された番組と関連する情報を前記第２の画面領域に表示するよう制御する表示制御モジュールとを備えることを特徴とする映像表示制御装置。
【請求項２】
前記表示制御モジュールは、前記選択モジュールにて選択された番組と関連する情報を前記サーバから受信するために入力する入力ウィンドウを含む検索ウィンドウが前記電子番組表と同一画面上に表示されるよう制御する検索ウィンドウ表示モジュールを含むことを特徴とする請求項１に記載の映像表示制御装置。
【請求項３】
更に、前記入力ウィンドウの入力候補を前記選択モジュールにて選択された番組の番組情報から抽出するキーワード抽出モジュールを含むことを特徴とする請求項２に記載の映像表示制御装置。
【請求項４】
前記キーワード抽出モジュールは前記選択モジュールにて選択された番組が変更されることに応じて、変更後の番組の番組情報を自動的に抽出することを特徴とする請求項３に記載の映像表示制御装置。
【請求項５】
前記表示制御モジュールは、前記検索ウィンドウに入力されたキーワードに応じて前記外部サーバにて検索された結果を前記第２の画面領域に表示するよう制御することを特徴とする請求項２乃至請求項４のいずれかに記載の映像表示制御装置。
【請求項６】
番組情報を受信するステップと、
前記番組情報に基づいて電子番組表を作成するステップと、
ネットワークを介してサーバからの情報を受信するステップと、
一つの画面を少なくとも第１の画面領域及び第２の画面領域に分割するステップと、
前記電子番組表を前記第１の画面領域に表示するとともに、前記サーバからの情報であって、かつ選択された番組の番組と関連する情報を前記第２の画面領域に表示するステップとを有することを特徴とする映像表示制御方法。
【発明の詳細な説明】
【技術分野】
【０００１】
この発明は、例えばネットワークを介してウェブページを表示するよう制御する映像表示制御装置及び映像表示制御方法に関する。
【背景技術】
【０００２】
デジタルテレビジョン放送を受信するデジタル放送受信装置において  ネットワークを介して外部サーバにアクセスし、当該アクセスしたウェブページ（ウェブサイト）を表示したり、サーバから配信される種々のコンテンツ（映像や音声、文字等を含む）を表示可能な機能が搭載される傾向にある。
【０００３】
そして、上記ネットワークを介したサービスはまだまだ開発途上の段階であり、ユーザの取り扱いをより便利にするために改良されていく傾向にある。
特許文献１には、多画面機能とウェブブラウザ機能を搭載し、ウェブブラウザのページ遷移を視聴者の手を用いることなく行うことが出来るテレビジョン受信装置が開示されている。
【先行技術文献】
【特許文献】
【０００４】
【特許文献１】特開２００７−３１８２６９号公報
【発明の概要】
【発明が解決しようとする課題】
【０００５】
この発明は上記事情を考慮してなされたもので、ネットワークを介して提供される様々なサービスに対して、ユーザの取り扱いが便利となるように対処した映像表示制御装置及び映像表示制御方法を提供することを主たる目的とする。
【課題を解決するための手段】
【０００６】
本発明は上記課題に鑑みてなされたものであり、その主な特徴は以下のとおりである。すなわち、本発明の映像表示成制御装置は、番組情報を受信する第１の受信モジュールと、前記番組情報に基づいて電子番組表を作成する電子番組表作成モジュールと、前記電子番組表に含まれる番組を選択する選択モジュールと、  ネットワークを介してサーバからの情報を受信する第２の受信モジュールと、一つの画面を少なくとも第１の画面領域及び第２の画面領域に分割する画面分割モジュールと、前記電子番組表を前記第１の画面領域に表示するとともに、前記サーバから受信する情報であって、かつ前記選択モジュールにて選択された番組と関連する情報を前記第２の画面領域に表示するよう制御する表示制御モジュールとを備えることを特徴とする。
【０００７】
また、本発明の映像表示制御方法は、番組情報を受信するステップと、前記番組情報に基づいて電子番組表を作成するステップと、ネットワークを介してサーバからの情報を受信するステップと、一つの画面を少なくとも第１の画面領域及び第２の画面領域に分割するステップと、前記電子番組表を前記第１の画面領域に表示するとともに、前記サーバからの情報であって、かつ選択された番組の番組と関連する情報を前記第２の画面領域に表示するステップとを有することを特徴とする。
【発明の効果】
【０００８】
本発明では、ＥＰＧと、サーバから受信する情報であって、選択された番組と関連する情報とを同時に表示する。従って、ＥＰＧ上で選択している番組の関連情報に容易にアクセスすることが出来、ユーザの利便性を向上させることができる。
【図面の簡単な説明】
【０００９】
【図１】本実施形態に係る映像表示制御装置の主要な信号処理系を示すブロック図である。
【図２】本実施形態に係る映像表示制御装置で表示されるＥＰＧの例を示す図である。
【図３】本実施形態に係る映像表示制御装置の動作例を示すフローチャート図である。
【図４】本実施形態に係る映像表示制御装置で表示されるＥＰＧと検索ウィンドウとを示す図である。
【図５】本実施形態に係る映像表示制御装置のＥＰＧとブラウザ画面とを示す図である。
【図６】本実施形態に係る映像表示制御装置のＥＰＧとブラウザ画面とを示す図である。
【発明を実施するための形態】
【００１０】
以下、この発明の実施形態について、図面を参照しながら説明する。図１は、以下の実施形態で説明する映像表示制御装置１００の概略構成を示すブロック図である。映像表示制御装置１００は、具体的には例えばデジタル放送を受信するデジタルテレビ受信機やセット・トップ・ボックス（set-top box）、あるいはホームサーバに相当する。本実施形態では一例としてデジタルテレビ受信機として以下説明する。
【００１１】
映像表示制御装置１００は、例えばマイクロプロセッサを含み、各種の動作を統括的に制御する制御モジュール１０を備えている。制御モジュール１０は、ＣＰＵ（Central Processing Unit）１１と、ＲＡＭ１２と、ＲＯＭ１３とを備えている。ＲＡＭ１２は、ＣＰＵ１１のデータ処理に必要なデータを含めて各種のデータを格納するメモリである。なお、外部サーバから受信したコンテンツ（例えば動画コンテンツで）のデータを格納するバッファメモリとして動作してもよい。ＲＯＭ１３は読出し専用メモリであり、ＣＰＵ１１のプログラムを含めて各種のデータを格納している。また、ＲＯＭ１３には、ブラウザ１６のプログラムやアプリケーションプログラムが格納されている。
【００１２】
映像表示制御装置１００はリモコン受信モジュール１４を備えている。リモコン受信モジュール１４は、入力操作装置である例えばリモコン（リモートコントローラ）２０から送信される操作情報を受信する。リモコン２０は、例えば赤外線を利用した無線通信により、ユーザが希望する操作を制御モジュール１０に伝えるための操作信号をリモコン受信モジュール１４に送信する。リモコン２０には、後述するカーソルによる選択操作を行うための選択キー（上下キーや左右キー）や、決定操作を行うための決定キー、ＥＰＧ表示やブラウザ画面を終了させるための終了キー等の各種操作キーが含まれる。
【００１３】
映像表示制御装置１００は、通信処理モジュール１５と、ブラウザ１６と、映像／音声デコーダ１７と、ディスプレイ１８と、スピーカ１９とを備える。通信処理モジュール１５は、インターネットなどのネットワーク３０に接続され、ネットワーク３０を介して外部のサーバ３１にアクセス可能となるように構成されている。そして、通信処理モジュール１５は、サーバ３１との情報（動画コンテンツ、静止画コンテンツ、テキストコンテンツ等を含む）通信を行なうための処理を行なう。
【００１４】
ブラウザ１６は、各種のソフトウェア等から構成され、後述するブラウザ画面６０の生成や動画再生などの処理を含み、サーバ３１から受信した情報（ウェブページのデータであり、映像、音声、文字等のデータ等を含む）をそのプログラムに基づいて変換して画面を構築し、それをディスプレイ１８に表示するための再生処理等を実行する。当該ブラウザ１６や制御モジュール１０の機能によって、映像表示制御装置１００はディスプレイ１８にサーバ３１から受信した情報を表示する。
【００１５】
映像／音声デコーダ１７は、サーバ３１から受信した種々の情報及びアンテナ３２から受信した放送波をデコードする。ディスプレイ１８は、映像／音声デコーダ１７によりデコードされた映像信号及びブラウザ１６により再生処理された映像信号を画面上に再生する表示装置である。スピーカ１９は、映像／音声デコーダ１７によりデコードされた音声信号を再生出力する。
【００１６】
上記のとおり、本実施形態の映像表示制御装置１００は、地上波デジタル放送やＢＳ放送やＣＳ放送等の受信機能以外に、ネットワーク３０及びサーバ３１を利用したサービス（いわゆるインターネットサービス）によるウェブページの情報を受信して、ディスプレイ１８やスピーカ１０で再生する機能を有する。
【００１７】
なお、本実施形態のサーバ３１は検索エンジンを含み、インターネットに存在する情報（ウェブページ、画像ファイル、ネットニュースなど）を検索するサービスを実現する。あるいは、ＶＯＤ(Video On Demand)による映画等の動画配信サービスを行っていてもよい。
【００１８】
また、制御モジュール１０は番組表作成モジュール２１を含む。番組表作成モジュール２１は、アンテナ３２で受信した放送波に含まれる電子番組表（ＥＰＧ）情報及び／またはサーバ３１から通信処理モジュール１５を介して受信した信号に含まれる番組情報（ＥＰＧ情報）を基にＥＰＧを作成する。図２で示すＥＰＧ４０は、ディスプレイ１８に表示されるＥＰＧの一例である。ＥＰＧ４０は、ユーザによる所定の操作（例えば、リモコン２０の番組表呼び出しボタンを押下する）に基づいて、ディスプレイ１８に表示される。ＥＰＧ４０は、水平方向にサービス（放送局）に対応する複数（図２の場合は５つ）のチャンネル表示枠を配列したチャンネル軸４１と、垂直方向に時系列的に連続した単位時間（図示の場合は１時間）に対応する複数（図２の場合は５時間分）の時間枠を配列した時間軸４２とが配列されている。そして、放送が予定されている各番組のタイトルや番組内容等の各種情報（Ａ１〜Ａ５、Ｂ１〜Ｂ４、Ｃ１〜Ｃ４、Ｄ１〜Ｄ４、Ｅ１〜Ｅ４）が、チャンネル軸４１と時間軸４２とで指定された各領域（番組セル）に表示されるようになっている。ここでは、放送局Ａ〜Ｅの列は、アンテナ３２から受信する地上波デジタルやＢＳやＣＳ等の番組構成を示している。
【００１９】
ユーザはリモコン２０の上下キーや左右キー等を用いてＥＰＧ４０上でカーソル４３を操作することや決定操作を行うことで、各番組の視聴選択や録画予約や、あるいはその番組の詳細情報（番組内容や出演者の情報など）を得ることができる。また、本実施形態のＥＰＧ４０には、リモコン２０の操作ガイドが含まれる。例えば、ガイド４４は、ＥＰＧ４０表示中にリモコン２０の青カラーボタンを押下げすると、視聴している今の時間が含まれるＥＰＧが表示されることを示す。ガイド４５は、リモコン２０の赤カラーボタンを押し下げすると、表示されるＥＰＧの日時を指定することを促すＧＵＩが表示し、当該ＧＵＩに従って所望の日時のＥＰＧを表示させることができることを示す。ガイド４６は、リモコン２０の緑カラーボタンを押し下げすると、カーソル４３で選択された番組の詳細説明が表示させることができることを示す。ガイド４７は、リモコン２０の黄カラーボタンを押し下げすると、カーソル４３で選択された番組の情報（番組情報）を用いたキーワード検索機能が実行できることを示す。この点後述する。
【００２０】
ＥＰＧ４０は、サーバ３１から受信した番組情報のみを用いて番組表を作成することも可能であるし、サーバ３１から取得した番組情報と、アンテナ３２で放送局から受信した番組情報を組み合わせて一つの番組表を構成してもよい。
【００２１】
また、制御モジュール１０は、画面分割モジュール２２と表示制御モジュール２３を含む。画面分割モジュール２２は、ディスプレイ１８の画面を少なくとも第１の画面領域と第２の画面領域に分割する制御を行なう。表示制御モジュール２３は、ディスプレイ１８上での種々のメニュー表示・ＧＵＩ表示等を制御する。また、表示制御モジュール２３は、上記第１の画面領域にＥＰＧ４０を表示するとともに、サーバ３１から受信する情報であって、かつユーザー選択された番組と関連する情報を上記第２の画面領域に表示するよう制御する。また、表示制御モジュール２３は、ユーザ選択された番組と関連する情報をサーバ３１から受信するための検索キーワード入力ウィンドウ（以下入力ウィンドウと称する。）５１を含む検索ウィンドウ５０が図４に示されようにＥＰＧ４０と同一画面上に表示されるよう制御する検索ウィンドウ表示モジュール（不図示）を含む。
【００２２】
また、制御モジュール１０は、例えば図４に示すように入力ウィンドウ５１に入力される候補となるキーワードを、放送波等から受信したＥＰＧ情報から抽出するキーワード抽出モジュール（不図示）を含む。抽出されたキーワードは候補リストウィンドウ５２に表示される。なお、候補リストウィンドウ５２は、ユーザ選択された番組と対応するＥＰＧ情報から抽出されたキーワードが含まれる。なお、カーソル操作４３がされることに連動して選択された番組情報が抽出され、候補リストウィンドウ５２が随時変更されることがユーザの利便性を図る上で好ましい。つまり、カーソル操作４３により選択された番組に対応する候補リストが表示されることが好ましい。
【００２３】
次に、以上説明した映像表示制御装置１００における、選択された番組の番組情報に基づく検索機能について図３のフローチャートを参照して説明する。
ユーザによる所定の操作（例えば、リモコン２０の番組表呼び出しボタンを押下する）に基づいて、図２に示すようなＥＰＧ４０がディスプレイ１８に表示される（ステップ３０１）。
【００２４】
次に、ＥＰＧ４０の表示中（ステップ３０２のＮｏ）に検索ウィンドウ５０の表示要求があったか否かの判定がなされる（ステップ３０３）。ＥＰＧ４０の表示中に検索ウィンドウ５０の表示要求が無かった場合は、ステップ３０２に戻る。ＥＰＧ４０の表示中に検索ウィンドウ５０の表示要求があった場合、つまり検索ウィンドウ５０を表示させるユーザの所定操作がされると、表示制御モジュール２３の制御に基づいて図４に示すような検索ウィンドウ５０がＥＰＧ４０上に表示される（ステップ３０３のＹｅｓ）。ここでいう所定の操作は、ユーザによって検索機能の対象とする所定の番組（本実施形態では番組Ａ１）が選択され、当該番組が選択されている状態で、例えばガイド４７にて示されているように、リモコン２０の黄カラーボタンが押下げされることである。
【００２５】
検索ウィンドウ５０は、例えば図４に示すように、ＥＰＧ４０に重畳して表示される。ただし、検索ウィンドウ５０が配置される位置は任意である。検索ウィンドウ５０には、例えば入力ウィンドウ５１、候補リストウィンドウ５２、決定ウィンドウ５３が含まれる。入力ウィンドウ５１はサーバ３１の検索サービスの対象となるキーワード（検索対象キーワード）を入力するウィンドウである。候補リストウィンドウ５２は、ＲＡＭ１２やＲＯＭ１３に記憶されたＥＰＧ情報であって、かつ選択された番組（番組Ａ１）に対応しＥＰＧ情報から、制御モジュール１０（キーワード抽出モジュール）によって抽出されたキーワードが配置されるウィンドウである。すなわち、候補リストウィンドウ５２に含まれるキーワードは、カーソル４３にて選択された番組のタイトル、出演者、ジャンル等が含まれる。なお、候補リストウィンドウ５２には従前にユーザが入力したことのある履歴が表示されるように制御モジュール１０（キーワード抽出モジュール）が制御する構成であってもよい。
【００２６】
次に、図３に示すような検索ウィンドウ５０の表示中に、検索対象キーワードが決定されたか否かが判定される（ステップ３０４）。検索対象キーワードが決定されない場合（例えば検索ウィンドウ５０の取消処理がされた場合）は、ステップ３０２に戻る。
【００２７】
検索対象キーワードが入力ウィンドウ５１に入力され、決定操作された場合（ステップ３０４のＹｅｓ）は、ブラウザ１６が起動するとともに検索処理が実行される（ステップ３０５）。例えば、候補リストウィンドウ５２から所望の検索対象キーワードがリモコン操作（例えば上下キー操作）で選択されて入力ウィンドウ５１に入力された状態で決定操作（例えば、決定ボタン５２の選択・決定操作）がなされると、ブラウザ１６が起動するとともにサーバ３１側で検索処理が実行される。すなわち、リモコン受信部１４を介して当該ユーザの要求を受け付けるとブラウザ１６が起動し、予めＲＯＭ等に登録されているＵＲＬを用いて、ネットワーク３０を介してサーバ３１に当該検索要求（サーバ３１の検索サービスを受ける旨の要求）を通知する。具体的には例えば、図４に示すように、「のびお」を検索対象キーワードとして入力ウィンドウ５１に入力して検索処理が実行されると、サーバ３１に対して、「のびお」をキーワードとした検索サービスを実行するよう通知する。
【００２８】
次に、ブラウザ１６は、サーバ３１から検索サービスの結果に関する情報（データ）を受信すると、当該データを解析して必要な処理（例えば、図５のブラウザ画面６０をディスプレイ１８に表示する処理を含む）を表示制御モジュール２３の制御に基づいて実行する。サーバ３１から受信するデータは、例えばＨＴＭＬ（hypertext markup language）やＢＭＬ(Broadcast Markup Language)により記述された情報であり、静止画像などの画像情報や、スクリプト（script）と呼ばれる各種の処理を実行するためのプログラム（ソフトウェア）を含む。
【００２９】
ここで、ブラウザ１６が起動するするとともに、分割制御モジュール２２の制御に基づいてディスプレイ１８が図５に示すように第１の画面領域（図５の左側半分）と第２の画面領域（図５の右側半分）に分割される。そして、表示制御モジュール２３の制御に基づいてＥＰＧ４０は第１の画面領域に表示され、サーバ３１から受信した検索結果を含む画面がブラウザ画面６０として第２領域に表示される。つまり、ディスプレイ１８には、ＥＰＧ４０とブラウザ画面６０とが同時に表示される（ステップ３０６）。本実施形態では、ＥＰＧ４０とブラウザ画面６０を同一画面に表示する関係から、放送局数を通常のＥＰＧ（図２参照）に比べて削減したＥＰＧ４０が表示される。
【００３０】
ブラウザ画面６０は、上記検索ウィンドウ５０に基づく検索結果を含めて種々のコンテンツを表示する領域（表示領域６１）と、アイコンバー６２、アドレスバー６３、スクロールバー６４などを含む。アイコンバー６２には、例えば一つ前のページに移動するための「戻るアイコン」、一つ先のページに進むための「進むアイコン」、読み込みを中止するための「中止アイコン」、ユーザのお気に入りのウェブページのリストを表示するための「お気に入りアイコン」、表示したページ履歴を表示すための「履歴表示アイコン」などが含まれる。アドレスバー６３には、現在アクセスしているウェブページのＵＲＬ（アドレス）が表示される。スクロールバー６４は、必要に応じて表示領域を移動する為のGUIパーツである。また、ブラウザ画面６０には、インターネット通信が行われていることを示すアイコン６５が画面上部に表示される。
【００３１】
ブラウザ画面６０上でのカーソル６６による選択操作及び決定操作がされることで、表示領域６１に表示された各ウェブページにアクセスされる。例えば、図５にて、「のびお−百科事典」の項目がカーソル６６で選択され、決定操作が行われると、ブラウザ１６の制御に基づいて当該項目のウェブページにアクセスがされ、図６に示すようにブラウザ画面６０には「のびお−百科事典」のウェブページのコンテンツが表示される。なお、ウェブページにリンク項目が含まれる場合には、リモコン２０による操作を適宜行い、そのリンク項目にカーソル６６を移動させ、決定操作を行うことでリンクページにアクセスすることが可能である。
【００３２】
次に、閲覧継続操作があったか否かが判定される（ステップ３０７）。ブラウザ画面６０を継続して閲覧する場合は、ブラウザ画面６０上での上記カーソル６６による操作等が繰り返される（ステップ３０７のＹｅｓ）。ブラウザ画面６０を閲覧中、当該ブラウザ画面６０の閲覧を終了する場合は、例えばブラウザ画面６０に含まれる終了アイコン６７をカーソル６６で選択操作及び決定操作を行うことでサーバ３１との通信処理が終了し、ブラウザ画面６０が閉じられる。つまり、図５や図６のようにディスプレイ１８にＥＰＧ４０とブラウザ画面６０とが含まれる画面状態から図２に示すようにＥＰＧ４０のみの画面となる。（ステップ３０７のＮｏ）。なお、ブラウザ画面６０の終了は、リモコン２０の終了ボタンを押下げ等で実行されてもよい。
【００３３】
また、ブラウザ画面６０を閲覧中、別の番組（本実施形態では番組Ａ１以外の番組）に基づくキーワード検索処理を実行する場合を説明する。この場合、ブラウザ画面６０におけるカーソル６６による選択操作を中断し、上記したようなＥＰＧ４０上でのカーソル４３による選択操作及び決定操作、検索ウィンドウ５０の表示処理（ステップ３０３のＹｅｓ）、キーワード決定（ステップ３０４のＹｅｓ）、検索処理（ステップ３０５）、ウェブページの表示（ステップ３０６）等の処理が行なわれる。なお、ブラウザ画面６０におけるカーソル６６による選択操作を中断している際には、ブラウザ１６を起動させたままでも良いし、ネットワーク３０を一時的に切断してもよい。
【００３４】
ＥＰＧの表示の終了操作がリモコン２０にて実行された場合（ステップ３０２のＹｅｓ）はＥＰＧ４０がディスプレイ１８から消え、例えば放送波に基づく番組が表示される（ステップ３０８）。ＥＰＧの表示が継続され、キーワード検索機能が繰り返し実行される場合には（ステップ３０２のＮｏ）には、上記ステップ３０４〜３０７が繰り返される。
【００３５】
以上のように本実施形態の映像表示制御装置１００では、ＥＰＧ表示中に選択している番組のＥＰＧ情報を用いて簡易な操作でウェブページを検索し、表示することができる。そして、ＥＰＧと、外部サーバから受信する情報であって、選択された番組の番組情報を用いて検索された情報とを同時に表示する。従って、ユーザは所望のウェブページにアクセスして所望の情報を容易に得ることができる。また、ＥＰＧ表示中にブラウザを起動させて検索処理を実行できるため、素早く所望の検索結果を得ることが出来る。
【００３６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、上記実施形態では、候補リストウィンドウ５２に挙げられたキーワードを入力ウィンドウ５１に入力する構成であったが、映像表示制御装置１００が文字入力モジュール（不図示）を備え、任意の文字の自由な入力が入力ウィンドウにて行われる構成であってもよい。
【符号の説明】
【００３７】
１０…制御モジュール、１１…ＣＰＵ、１２…ＲＡＭ、１３…ＲＯＭ、１４…リモコン受信モジュール、１５…通信処理モジュール、１６…ブラウザ、１７…映像／音声デコーダ、１８…ディスプレイ、１９…スピーカ、２０…リモートコントローラ（リモコン）、２１…番組表作成モジュール、２２…画面分割モジュール、２３…表示制御モジュール、３０…ネットワーク、３１…サーバ、３２…アンテナ、４０…ＥＰＧ、４１…チャンネル軸、４２…時間軸、４３…カーソル、４４〜４７…ガイド、５０…検索ウィンドウ、５１…入力ウィンドウ、５２…候補リストウィンドウ、５３…決定ウィンドウ、６０…ブラウザ画面、６１…表示領域、６２…アイコンバー、６３…アドレスバー、６４…スクロールバー、６５…アイコン、６６…カーソル、６７…ガイド
【図１】
2011160150.tif 000003
【図２】
2011160150.tif 000004
【図３】
2011160150.tif 000005
【図４】
2011160150.tif 000006
【図５】
2011160150.tif 000007
【図６】
2011160150.tif 000008